(57)【要約】【課題】適切な態様でコンテンツを再生させること。【解決手段】情報処理装置において、ユーザの周囲の環境情報を取得する取得部と、前記環境情報に基づいて、コンテンツの再生を制御する再生制御部と、を備える。【選択図】図３
2018087872.tif 000002
【特許請求の範囲】
【請求項１】
ユーザの周囲の環境情報を取得する取得部と、
前記環境情報に基づいて、コンテンツの再生を制御する再生制御部と、
を備えることを特徴とする情報処理装置。
【請求項２】
前記環境情報に応じた再生時間長の前記コンテンツを選択する選択部を備え、
前記再生制御部は、前記選択部により選択された前記コンテンツの再生を制御する
ことを特徴とする請求項１記載の情報処理装置。
【請求項３】
前記選択部は、前記環境情報に応じた種別のコンテンツを選択する
ことを特徴とする、請求項２に記載の情報処理装置。
【請求項４】
前記再生制御部は、前記環境情報に応じた再生時間長と、前記コンテンツの再生時間長とに基づいて、前記コンテンツの再生速度を制御することを特徴とする、請求項１乃至３のいずれか一項に記載の情報処理装置。
【請求項５】
前記環境情報は、浴室に設置された浴槽の湯温、前記浴槽の水位、前記浴室の室温、及び前記浴室の湿度のうちの少なくとも１つの情報を含むことを特徴とする、請求項１乃至４のいずれか一項に記載の情報処理装置。
【請求項６】
前記環境情報は、ユーザの食事からの経過時間、及び就寝予定時間までの時間長のうちの少なくとも１つの情報を含むことを特徴とする、請求項１乃至５のいずれか一項に記載の情報処理装置。
【請求項７】
前記再生制御部は、浴室において給湯されている間、前記コンテンツの音量を大きくする、周囲雑音を打ち消す音声を出力する、または前記コンテンツの再生を一時停止するよう制御する
ことを特徴とする、請求項１乃至６のいずれか一項に記載の情報処理装置。
【請求項８】
前記再生制御部は、所定の時間にコンテンツを再生する場合、コンテンツの音声が所定時間以上無音の場合に、現在時刻を報知する
ことを特徴とする、請求項１乃至７のいずれか一項に記載の情報処理装置。
【請求項９】
前記再生制御部により再生されるコンテンツの種別に応じた符号化方式により、ユーザの音声を録音する録音部を備える
ことを特徴とする請求項１乃至８のいずれか一項に記載の情報処理装置。
【請求項１０】
ユーザにより選択された前記コンテンツの種別、及びユーザにより選択されたコンテンツの再生時間長の少なくとも一方に応じて、前記環境情報を変化させるコマンドを送信する送信部を備える
ことを特徴とする請求項１乃至９のいずれか一項に記載の情報処理装置。
【請求項１１】
情報処理装置、及び端末装置を有する情報処理システムであって、
前記端末装置は、
ユーザの周囲の環境情報を取得し、
前記情報処理装置は、
前記端末装置から前記環境情報を取得する取得部と、
前記環境情報に基づいて、コンテンツの再生を制御する再生制御部と、
を備える
ことを特徴とする情報処理システム。
【請求項１２】
情報処理装置が、
ユーザの周囲の環境情報を取得するステップと、
前記環境情報に基づいて、コンテンツの再生を制御するステップと、
を実行する情報処理方法。
【請求項１３】
情報処理装置に、
ユーザの周囲の環境情報を取得するステップと、
前記環境情報に基づいて、コンテンツの再生を制御するステップと、
を実行させるプログラム。
【発明の詳細な説明】
【技術分野】
【０００１】
本発明は、情報処理装置、情報処理システム、情報処理方法、及びプログラムに関する。
【背景技術】
【０００２】
従来、音楽や電子書籍等のコンテンツを配信する技術が知られている。
【先行技術文献】
【特許文献】
【０００３】
【特許文献１】特開２０１６−１８１８１８号公報
【発明の概要】
【発明が解決しようとする課題】
【０００４】
しかしながら、従来技術では、ユーザの生活の様々なシーンに対応したコンテンツ配信を行うことについては考慮されていない。
【０００５】
そこで、適切な態様でコンテンツを再生させることができる技術を提供することを目的とする。
【課題を解決するための手段】
【０００６】
情報処理装置において、ユーザの周囲の環境情報を取得する取得部と、前記環境情報に基づいて、コンテンツの再生を制御する再生制御部と、を備える。
【発明の効果】
【０００７】
開示の技術によれば、適切な態様でコンテンツを再生させることが可能となる。
【図面の簡単な説明】
【０００８】
【図１】実施形態における情報処理システムの構成例を示す図である。
【図２】実施形態における情報処理装置の機能構成の一例を示す図である。
【図３】情報処理装置の処理の一例を示すフローチャートである。
【図４】入浴履歴情報の一例を示す図である。
【図５】コンテンツ情報の一例を示す図である。
【発明を実施するための形態】
【０００９】
以下、図面に基づいて本発明の実施形態を説明する。図１は、本発明の実施形態における情報処理システム１の構成例を示す図である。図１において、情報処理システム１は、情報処理装置１０、端末装置２０、及びサーバ装置３０を含む。
【００１０】
情報処理装置１０と端末装置２０は、例えば無線ＬＡＮ（Local Area Network）、Ｂｌｕｅｔｏｏｔｈ（登録商標）等の近距離無線によって通信可能に接続される。
【００１１】
情報処理装置１０とサーバ装置３０は、例えば携帯電話網、インターネット等の通信回網によって通信可能に接続される。
【００１２】
情報処理装置１０は、例えばスマートフォン、パーソナルコンピュータ、タブレット端末、通信機能を有するマイク付きスピーカ、通信機能を有する給湯リモコン、通信機能を有する台所リモコン等である。なお、情報処理装置１０は、防水、防塵、耐熱等の機能を備える構造を有してもよい。
【００１３】
情報処理装置１０は、端末装置２０から浴室等における環境情報を取得し、当該環境情報に応じたコンテンツをサーバ装置３０から取得し、当該コンテンツを端末装置２０に再生させる制御を行う。
【００１４】
端末装置２０は、例えば浴室リモコンであってもよい。端末装置２０は、例えば浴室、脱衣室、リビング、キッチン、寝室、トイレ、自動車等に設置される。
【００１５】
端末装置２０は、マイクによりユーザの音声を集音して情報処理装置１０に送信し、情報処理装置１０から受信した楽曲のデータをスピーカにより再生する。また、端末装置２０は、熱源機から取得したシャワーに給湯しているか等の情報、各種のセンサ等で収集したユーザが入浴中か等の情報、及び浴室リモコンにて設定された浴槽の設定湯温等の情報を、情報処理装置１０に通知する。
【００１６】
サーバ装置３０は、情報処理装置１０からの要求に応じて、情報処理装置１０にコンテンツを送信する。なお、サーバ装置３０が情報処理装置１０に提供するコンテンツは、音声のコンテンツでもよいし、動画のコンテンツでもよい。
【００１７】
＜機能構成＞
次に、図２を参照し、情報処理装置１０及びサーバ装置３０の機能構成について説明する。図２は、実施形態における情報処理装置１０及びサーバ装置３０の機能構成の一例を示す図である。
【００１８】
情報処理装置１０は、取得部１２、選択部１３、再生制御部１４、録音部１５、及び送信部１６を有する。これら各部は、情報処理装置１０にインストールされた１以上のプログラムが、情報処理装置１０のＣＰＵに実行させる処理により実現される。
【００１９】
また、情報処理装置１０は、記憶部１１を有する。記憶部１１は、例えば、補助記憶装置等を用いて実現される。
【００２０】
記憶部１１は、入浴履歴情報１１１を記憶する。入浴履歴情報１１１については後述する。
【００２１】
取得部１２は、端末装置２０から、ユーザの周囲の環境情報を取得する。
【００２２】
選択部１３は、取得部１２により取得された環境情報に応じたジャンル（種別）及び再生時間長のコンテンツを選択する。
【００２３】
再生制御部１４は、取得部１２により取得された環境情報と、選択部１３により選択されたコンテンツの再生時間長とに基づいて、前記コンテンツの再生速度を制御し、端末装置２０からコンテンツを出力させる。
【００２４】
録音部１５は、再生制御部１４により再生させられているコンテンツのジャンルに応じた符号化方式により、ユーザの音声を録音する。
【００２５】
送信部１６は、録音部１５により録音されたデータを、再生制御部１４により再生させられているコンテンツのジャンルに応じた送信先に送信する。
【００２６】
サーバ装置３０は、配信部３２を有する。配信部３２は、情報処理装置１０にインストールされた１以上のプログラムが、情報処理装置１０のＣＰＵに実行させる処理により実現される。
【００２７】
配信部３２は、情報処理装置１０からの要求に応じて、コンテンツを情報処理装置１０に配信する。
【００２８】
また、サーバ装置３０は、記憶部３１を有する。記憶部３１は、例えば、補助記憶装置等を用いて実現される。
【００２９】
記憶部３１は、コンテンツ情報３１１を記憶する。コンテンツ情報３１１については後述する。
【００３０】
＜処理＞
次に、図３を参照し、情報処理装置１０の処理について説明する。図３は、情報処理装置１０の処理の一例を示すフローチャートである。なお、以下の処理は、例えば情報処理装置１０にて所定の操作が行われた場合や、端末装置２０の人感センサ、水位センサ等により入浴の開始が検知された際に実行される。
【００３１】
ステップＳ１０１において、選択部１３は、取得部１２により取得されたユーザの入浴している時間長及びシャワーを浴びている時間長に基づいて、再生するコンテンツのジャンル（種別）を選択する。また、選択部１３は、入浴中や日常生活中等にセンサやユーザ入力等により得られた、生体情報、労働時間、睡眠時間、運動時間等の時間長に基づいて、再生するコンテンツのジャンルを選択してもよい。
【００３２】
図４は、入浴履歴情報１１１の一例を示す図である。入浴履歴情報１１１には、日付に対応付けて、入浴時間長が記憶されている。入浴時間長は、例えば、ユーザの入浴している時間長及びシャワーを浴びている時間長の合計値である。なお、入浴時間長は、ユーザの入浴している時間長及びシャワーを浴びている時間長のいずれか一方でもよい。ユーザの入浴している時間長の情報は、例えば、浴槽に設置された水位計や、浴槽に設置された人感センサ等から端末装置２０を介して取得部１２により取得されてもよい。また、シャワーを浴びている時間長の情報は、例えばシャワーに湯を供給する熱源機から端末装置２０を介して取得されてもよい。図４の例では、「２０１６／１０／２７」日の入浴時間長は「２５」分と記憶されている。
【００３３】
図５は、コンテンツ情報３１１の一例を示す図である。コンテンツ情報３１１には、コンテンツＩＤ、コンテンツ名、再生時間長、及びジャンルが対応付けて記憶されている。コンテンツＩＤは、コンテンツを識別する情報である。コンテンツ名は、コンテンツの名称である。再生時間長は、コンテンツを通常の速度で再生した場合にかかる時間である。ジャンルは、コンテンツの種別を示す情報である。なお、一のコンテンツに複数のジャンルが付与されていてもよい。
【００３４】
例えば、直近の所定期間におけるユーザの入浴している時間及びシャワーを浴びている時間の平均値が所定の閾値以上である場合、「癒し」のジャンルのタグが付加された１以上のコンテンツを選択する。これにより、例えばユーザが疲れていると推定できる場合、疲れを軽減できるジャンルのコンテンツをユーザにお勧めする、または自動再生することができる。
【００３５】
続いて、選択部１３は、コンテンツに対するユーザの反応に基づいて、再生するコンテンツのジャンルを選択する（ステップＳ１０２）。
【００３６】
選択部１３は、例えば、コンテンツを再生中に、端末装置２０のマイクで取得した音声から、笑い声、泣き声、歌い声等の反応を認識し、当該反応の頻度が比較的高いジャンルのタグが付加された１以上のコンテンツを選択する。これにより、例えばユーザの反応が高いジャンルのコンテンツをユーザにお勧めする、または自動再生することができる。
【００３７】
続いて、選択部１３は、浴槽の湯温に基づいて、再生時間長のスコアを修正する（ステップＳ１０３）。選択部１３は、例えば、浴槽の湯温が所定値（例えば４２℃）以上の場合、再生時間長のスコアを所定値（例えば１０％）減少させる。これにより、湯温が比較的高い場合は、再生時間長が比較的短いコンテンツを再生したり、再生速度を比較的速めて、のぼせを防止することができる。なお、浴槽の湯温は、例えば端末装置２０から取得部１２により取得された、端末装置２０にて湯張り操作時に設定された浴槽の湯温でもよい。または、浴槽の湯温は、例えば端末装置２０から取得部１２により取得された、浴槽に設置された水温計の測定結果でもよい。
【００３８】
続いて、選択部１３は、浴槽の水位に基づいて、再生時間長のスコアを修正する（ステップＳ１０４）。選択部１３は、例えば、浴槽の水位が所定値以下の場合、再生時間長のスコアを所定値（例えば１０％）増加させる。これにより、半身浴などにより浴槽の水位が比較的低い場合は、再生時間長が比較的長いコンテンツを再生したり、再生速度を比較的遅くすることができる。なお、浴槽の水位は、例えば端末装置２０から取得部１２により取得された、端末装置２０にて湯張り操作時に設定された浴槽の水位（湯量）でもよい。または、浴槽の水位は、例えば端末装置２０から取得部１２により取得された、浴槽に設置された水位計の測定結果でもよい。
【００３９】
続いて、選択部１３は、浴室の室温に基づいて、再生時間長のスコアを修正する（ステップＳ１０５）。選択部１３は、例えば、浴室の室温が所定値以上の場合、再生時間長のスコアを所定値（例えば１０％）減少させる。これにより、浴室の室温が比較的高い場合は、再生時間長が比較的短いコンテンツを再生したり、再生速度を比較的速めて、のぼせを防止することができる。なお、浴室の室温は、端末装置２０から取得部１２により取得された、浴室に設置された温度計の測定結果でもよい。
【００４０】
続いて、選択部１３は、浴室の湿度に基づいて、再生時間長のスコアを修正する（ステップＳ１０６）。選択部１３は、例えば、浴室の湿度が所定値以上の場合、再生時間長のスコアを所定値（例えば１０％）減少させる。これにより、浴室の湿度が比較的高い場合は、再生時間長が比較的短いコンテンツを再生したり、再生速度を比較的速めて、のぼせを防止することができる。なお、浴室の湿度は、例えば端末装置２０から取得部１２により取得された、浴室に設置された湿度計の測定結果でもよい。
【００４１】
続いて、選択部１３は、食事からの経過時間に基づいて、再生時間長のスコアを修正する（ステップＳ１０７）。選択部１３は、例えば、食事してから現在時刻までの間が所定時間（例えば３０分）以下の場合、再生時間長のスコアを所定値（例えば１０％）減少させる。これにより、食後すぐに入浴した場合は、コンテンツの再生の終了に合わせ、比較的早く入浴を終えることができる。なお、食事した時刻は、ユーザにより予め設定されてもよいし、食事内容を記録するアプリケーションから、ユーザにより食事内容が入力された時刻を取得してもよい、または、情報処理装置１０が「いただきます」等の音声を認識した時刻としてもよい。
【００４２】
続いて、選択部１３は、就寝までの時間に基づいて、再生時間長のスコアを修正する（ステップＳ１０８）。選択部１３は、例えば、現在時刻から就寝を予定している時刻（就寝予定時間）までの間が所定時間（例えば６０分）以下の場合、再生時間長のスコアを所定値（例えば１０％）減少させる。これにより、コンテンツの再生の終了に合わせ、比較的早く入浴を終えることができるため、入浴後すぐに就寝する場合に、のぼせて目が覚めてしまうことを防ぐことができる。なお、就寝を予定している時刻は、ユーザにより予め設定されてもよいし、睡眠時間を測定するアプリケーションから、就寝時刻の履歴を取得し、就寝時刻の平均値を、就寝を予定している時刻としてもよい。
【００４３】
続いて、選択部１３は、再生時間長のスコアに基づいて、コンテンツの再生時間長を決定する（ステップＳ１０９）。選択部１３は、例えば、予め設定されている再生時間長の初期値（例えば１０分）に、スコアの値を乗算した値を、再生時間長として算出する。
【００４４】
続いて、選択部１３は、選択されたジャンル、及び決定した再生時間長に基づいて、再生するコンテンツを決定する（ステップＳ１１０）。選択部１３は、コンテンツ情報３１１から、ステップＳ１０１及びステップＳ１０２で選択されたジャンルのタグが付加された１以上のコンテンツのうち、コンテンツの再生時間長と、算出した再生時間長との比が所定範囲内のコンテンツを選択する。
【００４５】
続いて、選択部１３は、決定した再生時間長と、再生するコンテンツの再生時間長に基づいて、再生速度を決定する（ステップＳ１１１）。選択部１３は、コンテンツの再生時間長と、算出した再生時間長との比に応じた再生速度を決定する。例えば、コンテンツの再生時間長が１１分であり、算出した再生時間長が１０分である場合、通常速度の１．１倍の再生速度で再生する。
【００４６】
続いて、再生制御部１４は、選択部１３により決定された再生速度で、選択部１３により決定されたコンテンツを再生する（ステップＳ１１２）。なお、ステップＳ１１０で決定したコンテンツが複数ある場合、当該複数のコンテンツのコンテンツ名等を表示して、ユーザから選択されたコンテンツを再生してもよいし、任意の１つのコンテンツを選択して自動で再生してもよい。
【００４７】
続いて、再生制御部１４は、ユーザがシャワーやミストを浴びている間、再生音量を大きくする、周囲雑音を打ち消す音声を出力（ノイズキャンセル）する、または再生の一時停止を行う（ステップＳ１１３）。シャワーやミストを浴びているか否かは、例えばシャワーやミストに湯を供給する熱源機から端末装置２０を介して取得されてもよい。再生制御部１４は、再生音量を大きくする場合、端末装置２０のマイクで取得したシャワーやミストの音量よりも、端末装置２０のマイクで取得したコンテンツの音量の方が大きくなるようにしてもよい。この場合、再生制御部１４は、例えば公知の音声認識技術を用いて、シャワーやミストの音を認識してもよい。これにより、シャワーやミストを浴びている際に、ユーザにコンテンツを聴かせる、または一時停止することができる。
【００４８】
続いて、録音部１５は、再生しているコンテンツのジャンルに応じた音声符号化方式（圧縮形式）で、ユーザの音声を録音する（ステップＳ１１４）。録音部１５は、端末装置２０のマイクで取得した音データを、例えば、ジャンルが「音楽」であるコンテンツの再生中は、比較的高品質な符号化方式（例えばリニアＰＣＭ）で録音する。また、録音部１５は、例えばジャンルが「英会話」であるコンテンツの再生中は、比較的低品質な符号化方式（例えばＭＰ３）で録音する。
【００４９】
録音部１５は、ユーザ毎に、録音データを保存してもよい。この場合、例えば、録音部１５は、取得部１２により取得された音声を分析し、予め登録されている複数のユーザの音声のうち、最も音声が近いユーザを判定する。これにより、例えば、父、母等、ユーザ毎にデータを記録することができる。
【００５０】
続いて、送信部１６は、当該コンテンツのジャンルに応じた送信先に、録音したユーザの音声を送信する（ステップＳ１１５）。送信部１６は、例えば、ジャンルが「音楽」であるコンテンツの再生中に録音されたデータは、予め設定された祖父母の端末のアドレスに送信する。また、送信部１６は、例えばジャンルが「英会話」であるコンテンツの再生中に録音されたデータは、予め設定されたクラウドのストレージサービスに送信する。それによりユーザが後日、自身の音声をチェックすることができる。
【００５１】
＜変形例＞
再生制御部１４は、現在時刻が、所定の時間帯（例えば７：００−８：００）の場合、コンテンツの切れ間のタイミングで、時刻を報知してもよい。この場合、例えば、端末装置２０のマイクで集音された音が、所定時間（例えば５秒）以上無音の場合に、時刻を報知してもよい。または、例えば所定の間隔（例えば５分毎）で、コンテンツの音声にかぶせて時刻を報知してもよい。これにより、例えばユーザが出勤前である場合に、ユーザに時間を報知することができる。
【００５２】
選択部１３、コンテンツの再生が完了した際等のタイミングにおいて、当該コンテンツに対するユーザの反応を表示してもよい。選択部１３、例えば、コンテンツを再生中に、端末装置２０のマイクで取得した音声から、笑い声、泣き声、歌い声等の反応を認識し、当該反応の頻度等を表示する。これにより、例えば、ユーザに自身の好みのジャンルについての気づきを与えることができる。また、当該コンテンツに対するユーザの反応をサーバ装置３０に通知し、サーバ装置３０にて当該コンテンツに対する複数のユーザの反応に基づき、各コンテンツの評価をランキングし、次回の再生時に優先的にお勧めするようにしてもよい。
【００５３】
送信部１６は、ユーザにより選択されたコンテンツの種別（内容）や、ユーザにより選択されたコンテンツの再生時間長等に応じて、ユーザの周囲の環境情報を調整させるためのリモコンコマンドを、端末装置２０等に送信してもよい。例えば、ユーザにより、コメディ等のコンテンツで、比較的長めの１５分バージョンが選択された場合、ユーザはゆっくり入浴したい気分だと判断できるため、送信部１６は、長風呂しやすい環境に整えるためのリモコンコマンドを端末装置２０、熱源機、または浴室暖房器等に送信する。この場合、より具体的には、浴室の温度を下げるために、浴室暖房器から冷風を吹かせるコマンドが送信されてもよい。また、風呂の湯温を下げるために、熱源機から浴槽に足し水させるコマンドが送信されてもよい。これにより、ユーザにより選択されたコンテンツの種別（内容）や再生時間長等に応じてユーザの体調や気分等を把握し、入浴環境や脱衣室環境を調整することができる。
【００５４】
＜まとめ＞
上述した実施形態によれば、ユーザの周囲の環境情報に基づいて、コンテンツの再生を制御する。これにより、適切な態様でコンテンツを再生させることができる。
【００５５】
なお、上述した実施形態では、入浴中にコンテンツを再生させる例について説明したが、例えば食事中、料理中、睡眠中、くつろぎ中、着替え中、化粧中、運動中にコンテンツを再生させる場合にも適用可能である。
【００５６】
＜情報処理プログラムについて＞
本実施形態に係る情報処理装置１０は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）等の揮発性の記憶媒体、ＲＯＭ（Ｒｅａｄ  Ｏｎｌｙ  Ｍｅｍｏｒｙ）等の不揮発性の記憶媒体、マウスやキーボード、ポインティングデバイス等の入力装置、画像やデータを表示する表示部、並びに外部と通信するためのインターフェースを備えたコンピュータによって構成してもよい。
【００５７】
その場合、情報処理装置１０が有する各機能は、これらの機能を記述したプログラム（検出プログラム）をＣＰＵに実行させることによりそれぞれ実現可能となる。また、このプログラムは、磁気ディスク（フロッピィーディスク、ハードディスク等）、光ディスク（ＣＤ−ＲＯＭ、ＤＶＤ等）、半導体メモリ等の記録媒体に格納して頒布することもできる。
【００５８】
つまり、上述した各構成における処理をコンピュータ（ハードウェア）に実行させるためのプログラムを、例えば汎用のＰＣやサーバ等にそのプログラムをインストールすることにより、上述した処理を実現することができる。
【００５９】
また、上述した実施形態における情報処理装置１０の一部、または全部を、ＬＳＩ（Ｌａｒｇｅ  Ｓｃａｌｅ  Ｉｎｔｅｇｒａｔｉｏｎ）等の集積回路として実現してもよい。情報処理装置１０の各機能ブロックは個別にプロセッサ化してもよいし、一部、または全部を集積してプロセッサ化してもよい。
【００６０】
以上、本発明の実施例について詳述したが、本発明は斯かる特定の実施形態に限定されるものではなく、特許請求の範囲に記載された本発明の要旨の範囲内において、種々の変形・変更が可能である。
【００６１】
例えば、情報処理装置１０及び端末装置２０を、一体の装置として構成してもよい。また、情報処理装置１０及びサーバ装置３０を、一体の装置として構成してもよい。
【００６２】
情報処理装置１０の例えば、記憶部１１、選択部１３、再生制御部１４、録音部１５、送信部１６等の各機能部は、１以上のコンピュータにより構成されるクラウドコンピューティングにより実現されていてもよい。また、サーバ装置３０は、１以上のコンピュータにより構成されるクラウドコンピューティングにより実現されていてもよい。
【符号の説明】
【００６３】
１  情報処理システム
１０  情報処理装置
１１  記憶部
１１１  入浴履歴情報
１２  取得部
１３  選択部
１４  再生制御部
１５  録音部
１６  送信部
２０  端末装置
３０  サーバ装置
３１  記憶部
３１１  コンテンツ情報
３２  配信部
【図１】
2018087872.tif 000003
【図２】
2018087872.tif 000004
【図３】
2018087872.tif 000005
【図４】
2018087872.tif 000006
【図５】
2018087872.tif 000007